(57)【要約】  本発明は、概して、ヘッドレスト（１４）を含むセラピー治療台（１２）の患者用フェイスシート（１０）に関連する。患者用フェイスシート（１０）は、フェイス開口部（１８）を含む任意の枕（１６）と併用してもよく、フェイス開口部（１８）は、ヘッドレスト（１４）の対応する開口部（１０）と合わせるように位置付けられる。患者用フェイスシート（１０）は、保護スカート（２８）が結合されたメインパネル（２６）を具える。メインパネル（２６）は、中央の略円形状の開口部（３０）を含み、その周りに保護スカート（２８）が結合される。保護スカート（２８）は、フェイスホール（１８）、および対応するホール（２０）内に延伸し、患者の頭部（２４）から、任意の枕（１６）とヘッドレスト（１４）とをほぼ完全に遮蔽する。  【選択図】図１
2020515318.tif 000002
【特許請求の範囲】
【請求項１】
治療台または椅子に関連するフェイスホールに位置するように適合された中央開口部を含むメインパネルと、
前記中央開口部の周りで前記メインパネルと結合され、前記治療台または椅子のフェイスホールの内側に位置するように適合された保護スカートと、を具えることを特徴とする治療台または椅子用の患者用フェイスシート。
【請求項２】
前記保護スカートは、その周縁部の周りに連続的であり、前記フェイスホール内に延伸するように構成されることを特徴とする請求項１に記載の患者用フェイスシート。
【請求項３】
連続的なスカートは、患者の頭部から、前記フェイスホールの周囲面をほぼ完全に遮蔽するのに十分な長さであることを特徴とする請求項２に記載の患者用フェイスシート。
【請求項４】
前記保護スカートは、前記メインパネルと結合されていることを特徴とする請求項１乃至３の何れか一項に記載の患者用フェイスシート。
【請求項５】
前記保護スカートは、前記メインパネルと連続的に結合されていることを特徴とする請求項４に記載の患者用フェイスシート。
【請求項６】
前記患者用フェイスシートは、不織布材料から構成され、使い捨て可能であることを特徴とする請求項１乃至５の何れか一項に記載の患者用フェイスシート。
【請求項７】
前記患者用フェイスシートは、洗濯可能な材料で構成され、再利用可能であることを特徴とする請求項１乃至５の何れか一項に記載の患者用フェイスシート。
【発明の詳細な説明】
【技術分野】
【０００１】
本発明は一般的に、マッサージまたは物理療法の台または椅子等の治療台または椅子の患者用フェイスシートに関する。
【背景技術】
【０００２】
患者用フェイスシートは、マッサージまたは他のセラピーの治療台または椅子と共に用いられることが一般的である。患者用フェイスシートは、施術者および患者を、治療台または椅子の共有面に関連する細菌、微生物、汗、唾液、化粧、または他の汚染物質から守る上で衛生的な実施を推進するように設計される。従来のフェイスシートは典型的に、不織布材料からなる１枚のシートに平らに構成され、その中央部分にフェイス開口部またはクロススリットが設けられる。クロススリットにより、フェイスシートに大まかな形のフェイス開口部が形成可能になり、患者が治療台または椅子のフェイスホールを介して顔を伏せる時に、大部分で呼吸が妨げられることがない。しかし、これらのタイプのフェイスシートは、少なくとも以下の欠点を有する。
ｉ）顔と台または椅子とが直接接触することがないように、且つ、フェイスホールからの見通しが良くなるように、クロススリットを介して開口部を形成することが困難である。
ｉｉ）汚染物質から患者を守るまたは保護する上で、あまり効果的ではない。
【発明の概要】
【０００３】
本発明に従い、セラピーの治療台または椅子の患者用フェイスシートが提供され、フェイスシートは、治療台または椅子に関連するフェイスホールに位置するように適合された中央開口部を含むメインパネルと、中央開口部の周りでメインパネルに結合され、治療台または椅子のフェイスホールの内側に位置するように適合された保護スカートと、を具える。
【０００４】
好ましくは、保護スカートは、その周縁部の周りに連続的であり、フェイスホール内に延伸するように構成される。より好ましくは、連続的なスカートは、患者の頭部から、フェイスホールの周囲面をほぼ完全に遮蔽するのに十分な長さである。
【０００５】
好ましくは、保護スカートは、メインパネルと結合されている。より好ましくは、保護スカートは、メインパネルと連続的に結合されている。
【０００６】
好ましくは、フェイスシートは、不織布材料から構成され、使い捨て可能である。或いは、患者用フェイスシートは、洗濯可能な材料で構成され、再利用可能である。
【図面の簡単な説明】
【０００７】
本発明の性質をよりよく理解するために、セラピーの治療台または椅子の患者用フェイスシートの好ましい実施形態を、以下の添付図面を参照し、単に例示の目的で示す。
【図１】図１は、典型的なセラピーの治療台に設置された、本発明の一実施形態の患者用フェイスシートの部分的分解斜視図である。
【図２】図２は、うつ伏せの姿勢の患者と共に示した、図１の患者用フェイスシートを上から示した斜視図である。
【図３】図３は、上記図面の患者用フェイスシートと、セラピーの治療台と併用される任意の枕とを下から示した分解斜視図である。
【図４】図４は、上記図面の患者用フェイスシートと、任意の枕とを下から示した斜視図である。
【発明を実施するための形態】
【０００８】
図１および図２に示すように、ヘッドレスト１４を含むセラピーの治療台１２のための、本発明の一実施形態の患者用フェイスシート１０がある。患者用フェイスシート１０は、フェイス開口部１８を含む枕１６と一緒に用いられてもよく、フェイス開口部１８は、ヘッドレスト１４の対応する開口部２０と合わせるように位置付けられる。フェイスシート１０は、セラピーの治療椅子との使用のために設計されてもよい。
【０００９】
図２に示すように、患者２２は、頭部２４を、任意の枕１６のフェイスホール１８およびヘッドレスト１４の対応するホール２０にほぼ合わせた状態で、うつ伏せの姿勢で横たわっている。患者用フェイスシート１０は、患者の頭部２４と任意の枕１６との間に配置される。患者用フェイスシート１０は、患者の頭部２４が枕１６、または、枕１６がない場合はヘッドレスト１４と直接接触しないように設計される。正確には、患者の頭部２４は、フェイスシート１０のみに直接接触する。従って、フェイスシート１０は、細菌、微生物、汗、唾液、および化粧等であるがそれらに限定されない、患者２２に関連する汚染物質から、枕１６および／またはヘッドレスト１４を遮蔽する。
【００１０】
本実施形態において、図３および図４に最も良く見られるように、患者用フェイスシート１０は、保護スカート２８が結合されたメインパネル２６を具える。メインパネル２６は、略長方形状で、任意の枕１６の上面のほぼ全体を覆う。メインパネル２６は、中央の略円形状の開口部３０を含み、その周りに保護スカート２８が結合されている。
【００１１】
本実施形態において、保護スカート２８は、任意の枕１６のフェイスホール１８、およびヘッドレスト１４の対応するホール２０内に延伸する。保護スカート２８は、患者の頭部２４および関連する汚染物質から、任意の枕１６およびヘッドレスト１４をほぼ完全に遮蔽するのに十分な長さまたは深さである。スカート２８は、汚染物質を犠牲的に捕捉するように構成されており、処分してもよく、または洗濯して引き続き使用してもよい。
【００１２】
本実施形態において、保護スカート２８は、その周縁部の周りに連続的で、且つ、メインパネル２６と連続的に結合される。患者用フェイスシート１０を、使い捨て可能な不織布材料、または再利用可能な洗濯できる材料から構成してもよい。従来技術と異なり、フェイスシート１０は、スカート２８を有する三次元の形状であり、スカート２８は、二次元のメインパネル２６から三次元に延伸する。３Ｄ設計は、製造および包装の両方に関して困難な点が伴う。好ましくはその周縁部の周りに連続的である三次元の保護スカート２８を有するフェイスシート１０を製造するために、スカート２８は、大抵の場合、メインパネル２６とは別の要素として形成されることとなり、その後、メインパネル２６と連続的に結合される。フェイスシート１０の包装において、小さく包装するために、スカート２８をメインパネル２６と同一平面か、同一平面内に畳む、または折り重ねることが好ましい。このために、図３および図４において最もよく見られるスカート２８は、開口部３０から離れた方向に外側に延伸するため、平たく包装するために、メインパネル２６の平面から外側に、この平面内に畳むことができる。
【００１３】
患者用フェイスシートは、全ての治療形態、特に、物理療法、カイロプラクティック、オステオセラピー（ｏｓｔｅｏｔｈｅｒａｐｙ）、マッサージ、鍼、自然療法、およびレーザ治療を含むがそれらに限定されない、セラピー治療に用いることができることを理解すべきである。患者用フェイスシートの文脈における患者は、依頼人または顧客を含む任意の人に拡張されることも理解すべきである。
【００１４】
患者用フェイスシートの好ましい実施形態を説明したが、以下の利点を有することが当業者にとって明らかである。
１．細菌、微生物、および汚染物質を患者に伝染させる可能性を減らすため、セラピー治療台または椅子の露出面の周り、特に、任意の頭部枕、および／または、ヘッドレストそれぞれの開口部の周りをほぼ完全に覆う。
２．患者用フェイスシートは、特に、患者が閉所恐怖症の傾向がある場合、患者に比較的クリアな視界を提供する。
３．患者用フェイスシートは、任意の頭部枕の有無に関らず、迅速且つ効果的にセラピー治療台または椅子に配置することができる。
【００１５】
当業者は、本明細書に記載の発明が、具体的に記載された変更および修正以外の変更および修正が可能であることを理解するだろう。例えば、保護スカートは、セラピー治療台または椅子の汚染面と起こり得る接触から患者の頭部を実質的に遮蔽することを条件として、連続的でなくてもよい。保護スカートは、その長さまたは三次元の深さが異なっていてもよい。メインパネルも、セラピー台または関連する任意の枕の接触面から患者の頭部を遮蔽することを条件として、事実上任意の形状であってもよい。フェイスシートのメインパネルの開口部は、長円形または楕円の形状を含むがそれらに限定されない、他の形状に拡張されてもよい。全てのそのような変更および修正は、本発明の範囲内で検討されるべきであり、その性質は、上記の記載から判断されるべきである。
【図１】
2020515318.tif 000003
【図２】
2020515318.tif 000004
【図３】
2020515318.tif 000005
【図４】
2020515318.tif 000006
【国際調査報告】
2020515318.tif 000007
2020515318.tif 000008
2020515318.tif 000009